(57)【要約】
【課題】  壁板に懸吊する形式の神棚を安定して容易に支持することができる。
【解決手段】　　壁板１２に水平の横長の受け部材３２が取付けられ、棚本体１６の背板２２横長の掛け止め部材３４が取付けられ、受け部材３２は、その上面に壁板１２に向けて下向きに傾斜する受け止め面３２ａを有し、掛け止め部材３４は、受け部材３２の受け止め面３２ａに係合して棚本体１６を受け止め部材３２に懸吊するように背板２２から離れるにつれて下向きに傾斜する掛け止め面３４ａを有する。
【選択図】        図１
0003099642.tif 000002
【実用新案登録請求の範囲】
【請求項１】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有することを特徴とする神棚。
【請求項２】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記棚本体は、前記背板の下方と壁板との間に間隔をあけるように設けられたスペーサを有することを特徴とする神棚。
【請求項３】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記棚本体は、前記背板の下方と壁板との間に間隔をあけるように設けられたスペーサを有し、前記スペーサは、前記棚板に設けられて前記背板から前記壁板に向けて突出して前記壁板に係合する突き出し部から成っていることを特徴とする神棚。
【請求項４】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記受け部材は、前記壁板の縦桟の間に跨って配置されてねじ止めされることを特徴とする神棚。
【請求項５】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記受け部材は、前記壁板の縦桟の間に跨って配置されてねじ止めされ、前記棚本体は、前記背板の下方と壁板との間に間隔をあけるように設けられたスペーサを有することを特徴とする神棚。
【請求項６】
建物の壁板に掛け止めされる神棚において、棚板と前記棚板に一体に取付けられた背面板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記受け部材は、前記壁板の縦桟の間に跨って配置されてねじ止めされ、前記棚本体は、前記背板の下方と壁板との間に間隔をあけるように設けられたスペーサを有し、前記スペーサは、前記棚板に設けられ前記背板から前記壁板に向けて突出して前記壁板に係合する突き出し部から成っていることを特徴とする神棚。
【請求項７】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記受け部材は、前記壁板に接着して取付けられることを特徴とする神棚。
【請求項８】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記前記棚本体を前記受け止め部材に懸吊するように前記背板から離れるにつれて下向きに傾斜する掛け止め面を有し、前記受け部材は、前記壁板に接着して取付けられ、前記棚本体は、前記背板の下方と壁板との間に間隔をあけるように設けられたスペーサを有することを特徴とする神棚。
【請求項９】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、上面に前記壁板に向けて下向きに傾斜する受け止め面を有し、前記掛け止め部材は、前記受け部材の受け止め面に係合して前記棚本体を前記受け止め部材に懸吊するように前記背板から離れるにつれて下向きに傾斜する掛け止め面を有し、前記受け部材は、前記壁板に接着して取付けられ、前記棚本体は、前記背板の下方と壁板との間に間隔をあけるように設けられたスペーサを有し、前記スペーサは、前記棚板に設けられ前記背板から前記壁板に向けて突出して前記壁板に係合する突き出し部から成っていることを特徴とする神棚。
【請求項１０】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、前記壁板に横方向に間隔をあけて複数の差込型取付け具によって固定された垂直板部と前記垂直板部に一体に設けられ上面に前記壁板から離れるにつれて上向きに傾斜する受け止め面を有する傾斜板部とを有する帯状部材から成り、前記掛け止め部材は、前記受け部材の傾斜板部の受け止め面に係合して前記棚本体を懸吊するように前記背板から離れるにつれて下向きに傾斜する掛け止め面を有し、前記差込型取付け具は、取付け具本体を貫通する複数のピン又は釘の差込によって前記受け部材の垂直板部を前記壁板に固定するものであることを特徴とする神棚。
【請求項１１】
建物の壁板に掛け止めされる神棚において、棚板と前記棚板に一体に取付けられた背板とを少なくとも含む棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、前記壁板に横方向に間隔をあけて複数の差込型取付け具によって固定された垂直板部と前記垂直板部に一体に設けられ上面に前記壁板から離れるにつれて上向きに傾斜する受け止め面を有する傾斜板部とを有する帯状部材から成り、前記掛け止め部材は、前記受け部材の傾斜板部の受け止め面に係合して前記棚本体を前記受け止め部材に懸吊するように前記背板から離れるにつれて下向きに傾斜する掛け止め面を有し、前記差込型取付け具は、複数のピン又は釘の差込によって前記受け部材の垂直板部を前記壁板に固定するものであり、前記棚本体は、前記背板の下方と壁板との間に間隔をあけるように設けられたスペーサを有することを特徴とする神棚。
【請求項１２】
建物の壁板に掛け止めされる神棚において、棚板と前記棚板に一体に取付けられた背板とを少なくとも含み前記神殿が搭載されるべき棚本体と、前記棚本体を前記壁板に懸吊すべき懸吊手段とから成り、前記懸吊手段は、前記壁板に水平に取付けられる横長の受け部材と前記背板に取付けられ前記受け部材に掛け止めされる横長の掛け止め部材とを含み、前記受け部材は、前記壁板に横方向に間隔をあけて複数の差込型取付け具によって固定された垂直板部と前記垂直板部に一体に設けられ上面に前記壁板からはなれるにつれて上向きに傾斜する受け止め面を有する傾斜板部とを有する帯状部材から成り、前記掛け止め部材は、前記受け部材の傾斜板部の受け止め面に係合して前記棚本体を前記受け止め部材に懸吊するように前記背板から離れるにつれて下向きに傾斜する掛け止め面を有し、前記差込型取付け具は、複数のピン又は釘の差込によって前記受け部材の垂直板部を前記壁板に固定するものであり、前記棚本体は、前記背板の下方と壁板との間に間隔をあけるように設けられたスペーサを有し、前記スペーサは、前記棚板に設けられ前記背板から前記壁板に向けて突出して前記壁板に係合する突き出し部から成っていることを特徴とする神棚。
【請求項１３】
請求項１０乃至１３のいずれかに記載の神棚であって、前記差込式取付け具は、前記ピン又は釘が差し込まれた後に前記取付け具本体から前記ピン又は釘が抜けるのを防止するように前記取付け具本体に被せられるカバーを有することを特徴とする神棚。
【考案の詳細な説明】
【技術分野】
【０００１】
　本考案は、神棚、特に神殿や重量のある神具を搭載する形式の神棚に関し、更に詳細に述べると、鴨居を有しない住宅に取り付けるのに好適に使用することができる神棚に関するものである。
【背景技術】
【０００２】
　神棚は、通常鴨居の上面を利用して載置し天井に固定された１対の前柱によって懸吊された棚本体を含んでいる。また、仏壇は、通常部屋の仏壇入れに配置されるか、神棚の棚本体と同様の棚本体に載置されて使用されている。
【０００３】
　しかし、最近の住宅は、鴨居を有しないことが多く、このような住宅に神棚を奉ることが難しく、従来から壁板に容易に取り付けることができる種々の簡易神棚が提案されている。
【０００４】
　例えば、従来技術の簡易神棚は、単に家具等の上に載置する鳥居付きの神札立ての形態の据え置き型神棚（特許文献１公報参照）や吊り紐や吊り金具を有する額縁式の神棚（例えば特許文献２乃至４号公報参照）や、神棚本体の背面に設けられた係止金具によって壁板に掛け止めされる神棚（特許文献５参照）や、画鋲や両面テープで壁板に取り付けられる厚紙製の軽量神棚（特許文献６参照））がある。
【０００５】
　しかし、これらの簡易神棚のうち、据え置き型神棚は、単なる置物の形態であって荘厳さに欠け、また懸吊型の神棚は、単純な吊り金具や係止金具で壁板にボンドや釘、ねじ等の適宜の手段で固定された懸吊部材に掛け止めするか、画鋲等で止めるかしているだけであるので、神棚本体は、軽量であることが要求されるため、榊立て等の神具を搭載することができないため荘厳さに欠け、特に棚板に神殿を載置する形式の神棚に適用することができない欠点があった。
【０００６】
　特に、懸吊部材を壁板に釘止め又はねじ止めする場合には、壁板の裏側に桟があることを確認してこの桟に釘を打ち込んだり、ねじをねじ込んだりしなければならないので、設置場所が限定される欠点があった。
【０００７】
　また、係止金具によって壁掛けする仏壇も提案されているが（特許文献５参照）、これも上記の神棚と同様の欠点を有する。
【０００８】
　本考案者は、このような課題を解決するために、建物の壁板に掛け止めされる棚本体と、壁板に斜めに差し込まれるピンによって壁板に沿って取り付けられるべき少なくとも２つの懸吊部材と、棚本体の背面下方と壁板との間に間隔をあけるように設けられたスペーサと、棚本体の背板に取り付けられて懸吊部材に掛け止められるべき同様に少なくとも２つの掛け止め部材と、懸吊部材と掛け止め部材とを隠蔽する隠蔽手段とから成り、棚本体は、掛け止め部材を懸吊部材に掛け止めしてスペーサを介して壁板に懸吊され、隠蔽手段は、懸吊部材と掛け止め部材とが正面から隠蔽するように棚本体に取り付けられる隠蔽部材から成っている神棚を提案している（特許文献９参照）。
【０００９】
　この神棚は、鴨居がなくても簡単に取り付けることができ、また桟に対応させることなく高い強度で懸吊することができるので、比較的重量がある神殿載置型の神棚を取付けるのに好適に適用することができる。
【００１０】
　しかし、この神棚は、間隔をあけて設けられた少なくとも２つの懸吊部材と掛け止め部材とで棚本体を壁板に懸吊するので、棚本体の重量が２つの懸吊部材と掛け止め部材とに局部的に掛かり、懸吊部材及び掛け止め部材は、それぞれ棚本体の重量に耐える程度の強度を有することが要求される欠点があった。
【００１１】
　更に、この先の提案による懸吊部材と掛け止め部材との組み合わせは、これらの組み合わせを間隔をあけて設けなければならないので、壁板側の懸吊部材と棚本体側の掛け止め部材との位置合わせが難しく、神棚の取付け作業が面倒となる欠点があった。
【００１２】
【特許文献１】実用新案登録第３０７９４４２号公報参照
【００１３】
【特許文献２】実開昭６２−１４２９８３号公報
【００１４】
【特許文献３】実開平３−１１８７８号公報
【００１５】
【特許文献４】特開平６−３４３５４３号公報
【００１６】
【特許文献５】登録実用新案第３０３０５８０号公報
【００１７】
【特許文献６】特開２００１−１８６９８１号公報
【００１８】
【特許文献７】登録実用新案第３０３０５８０号公報
【００１９】
【特許文献８】実用新案登録第３０１９６１４号公報
【００２０】
【特許文献９】実用新案登録第２５３７９７７号公報
【考案の開示】
【考案が解決しようとする課題】
【００２１】
　本考案が解決しようとする１つの課題は、鴨居がなくても壁板に容易に取り付けることができる神棚を提供することにある。
【００２２】
本考案が解決しようとする他の課題は、棚本体の重量を局部的に掛けることなく、広く分散させて懸吊することができる神棚を提供することにある。
【課題を解決するための手段】
【００２３】
　本考案の第１の課題解決手段は、建物の壁板に掛け止めされる神棚において、棚板とこの棚板に一体に取付けられた背板とを少なくとも含む棚本体と、この棚本体を壁板に懸吊すべき懸吊手段とから成り、この懸吊手段は、壁板に水平に取付けられる横長の受け部材と棚本体の背板に取付けられ受け部材に掛け止めされる横長の掛け止め部材とを含み、受け部材は、上面に前記壁板に向けて下向きに傾斜する受け止め面を有し、掛け止め部材は、受け部材の受け止め面に係合して棚本体を受け止め部材に懸吊するように背板から離れるにつれて下向きに傾斜する掛け止め面を有することを特徴とする神棚を提供することにある。
【００２４】
　本考案の第２の課題解決手段は、建物の壁板に掛け止めされる神棚において、棚板とこの棚板に一体に取付けられた背板とを少なくとも含む棚本体と、この棚本体を壁板に懸吊すべき懸吊手段とから成り、懸吊手段は、壁板に水平に取付けられる横長の受け部材と背板に取付けられ受け部材に掛け止めされる横長の掛け止め部材とを含み、受け部材は、上面に壁板に向けて下向きに傾斜する受け止め面を有し、掛け止め部材は、受け部材の受け止め面に係合して前記棚本体を受け止め部材に懸吊するように背板から離れるにつれて下向きに傾斜する掛け止め面を有し、受け部材は、壁板の縦桟の間に跨って配置されてねじ止めされることを特徴とする神棚を提供することにある。
【００２５】
　本考案の第３の課題解決手段は、建物の壁板に掛け止めされる神棚において、棚板とこの棚板に一体に取付けられた背板とを少なくとも含む棚本体と、この棚本体を壁板に懸吊すべき懸吊手段とから成り、懸吊手段は、壁板に水平に取付けられる横長の受け部材と棚本体の背板に取付けられ受け部材に掛け止めされる横長の掛け止め部材とを含み、受け部材は、上面に壁板に向けて下向きに傾斜する受け止め面を有し、掛け止め部材は、受け部材の受け止め面に係合して前記棚本体を受け止め部材に懸吊するように背板から離れるにつれて下向きに傾斜する掛け止め面を有し、受け部材は、壁板に接着して取付けられることを特徴とする神棚を提供することにある。
【００２６】
　本考案の第１乃至第３の課題解決手段において、棚本体は、背板の下方と壁板との間に間隔をあけるように設けられたスペーサを有するのが好ましく、このスペーサは、棚本体の棚板に設けられて背板から壁板に向けて突出して壁板に係合する突き出し部とすることができる。
【考案の効果】
【００２７】
　本考案の神棚は、建物の壁板に水平に取付けられる横長の受け部材と棚本体の背板に取付けられ受け部材に掛け止めされる横長の掛け止め部材とを含む懸吊手段を備え、この懸吊手段によって壁板に懸吊するので、桟を有しない部分に懸吊することができるから設置場所が限定されることがない上に、棚本体側の横長の掛け止め部材を壁板側の横長の懸吊部材に掛け止めるだけで懸吊することができるので、両者の位置合わせが容易で取付け作業を容易に行うことができる。
【００２８】
　また、壁板側の横長の受け部材と棚本体の背板側の横長の掛け止め部材との組み合わせは、ボンドや釘、ねじ、画鋲等の従来技術の固定手段によって棚本体を壁板に直接懸吊する場合に比べて比較的大きな重量の棚本体にも適用することができるので、神棚の簡易性を排除して荘厳さを付与することができる。
【００２９】
　特に、懸吊手段の受け部材は、上面に壁板に向けて下向きに傾斜する受け止め面を有し、掛け止め部材は、受け部材の受け止め面に係合して棚本体を受け止め部材に懸吊するように背板から離れるにつれて下向きに傾斜する掛け止め面を有し、従って棚本体の重量を横長の受け部材と横長の掛け止め部材とで分散して支持するので、懸吊手段の部材に大きな荷重を掛けることがないから、榊立て等の神具や神殿を搭載する重量のある神棚を安定して取付けることができる。
【００３０】
　更に、棚本体の背面と壁板との間に間隔をあけるスペーサを設けると、棚本体の棚板の前方の質量がスペーサを介して棚本体を壁板に押し付けるように棚本体を付勢し、棚本体を壁板に安定して取り付けることができる。
【考案を実施するための最良の形態】
【００３１】
　本考案の実施の形態を図面を参照して詳細に述べると、図１乃至図６は、本考案が適用された神殿搭載型の神棚１０を示し、この神棚１０は、建物の石膏ボードの如き壁板１２に掛け止めされる棚本体１６を備えている。なお、図７に示すように、壁板１２は、隣り合う桟１４、１４’−−−の間に貼り付けられている。
【００３２】
　棚本体１６は、棚板２０と背板２２と左右の１対の三角形状の飾側板２４とから成り、これらの板２０、２２、２４は、突条と溝とを相互に嵌合するあり掛けと接着等の手段によって組み立てることができる。
【００３３】
　図示の形態では、棚本体１６は、図３乃至図６から解るように、棚板２０から起立し上端に雲板２６が取付けられた１対の前柱２８を含み、これらの前柱２８と背板２２とは、連結桿３０によって補強的に連結されている。
【００３４】
　棚本体１６、雲板２６、前柱２８及び連結桿３０は、木又は木模様の表面処理が施されたプラスチックあるいはウッドプラスチック等の適宜の材料から作ることができる。
【００３５】
　本考案の神棚１０は、図１乃至図６に示すように、この棚本体１６を建物の壁板１２に懸吊すべき懸吊手段３２を更に備えている。この懸吊手段３２は、壁板１２に水平に取付けられる横長の受け部材３４と棚本体１６の背板２２に取付けられ受け部材３４に掛け止めされる横長の掛け止め部材３６とを含んでいる。
【００３６】
　受け部材３４は、上面に壁板１２に向けて下向きに傾斜する受け止め面３４ａを有し、掛け止め部材３６は、受け部材３４の受け止め面３４ａに係合して棚本体１６を受け止め部材３４に懸吊するように背板２２から離れるにつれて下向きに傾斜する掛け止め面３６ａを有する（特に、図１、図２、図８参照）。
【００３７】
　図２に示すように、受け部材３４は、壁板１２を貫通して桟１４、１４’−−−にねじ４０によって取付けることもできるし、また接着剤によって壁板１２に取付けることもできる。
【００３８】
　棚本体１６は、その取付け状態で、背板２２の下方と壁板１２との間に間隔をあけるように設けられたスペーサ４２を有する。このスペーサ４２は、例えば、棚本体１６の棚板２０に設けられて背板２２から壁板１２に向けて突出して設けられて壁板１２に係合する突き出し部２０ａとすることができる。従って、図示の形態では、スペーサ４２は、棚板２０の幅全長に亘って延びているが、棚板２０の両端に設けられたり、両端から内側に位置して間隔をあけて設けられていてもよい。もちろん、このスペーサ４２は、棚板２０とは別体で背板２２に部分的に設けられていてもよい。
【００３９】
　本考案の他の実施の形態が図９に示されており、この実施の形態では、棚本体１６が棚板２０と背板２２のみから成っており、懸吊手段３２は、図１乃至図８の形態と同様に、壁板１２に水平に取付けられる横長の受け部材３４と棚本体１６の背板２２に取付けられ受け部材３４に掛け止めされる横長の掛け止め部材３６とを含み、 またこれらの部材３４、３６は、相互に補完的に傾斜して係合する受け止め面３４ａ、掛け止め面３６ａをそれぞれ有する。
【００４０】
　この実施の形態による神棚１０は、図示のように、神札５０と瓶子（御神酒壺）５２と米皿５４と水器５６と塩皿５８よ榊立て６０等の神具を載置する比較的簡略化された形態のものであるが、神札５０以外は、比較的重量があるので、同様に、これらの荷重に耐えるのに好適に使用することができる。
【００４１】
　本考案の神棚１０は、まず、壁板１２にねじ止め又は接着によって懸吊手段３２の横長の受け部材３４を取付ける。棚本体１６の背板２２の背面上端には予め懸吊手段３２の横長の掛け止め部材３６が取付けられており、棚本体１６は、この掛け止め部材３６を壁板１２に固定された受け部材３４の受け止め面３４ａに掛け止める。棚本体１６は、その掛け止め部材３６の掛け止め面３６ａが壁板１２側の受け部材３４の受け止め面３４ａに係合して懸吊される。棚本体１６の荷重は、棚本体１６側の横長の掛け止め部材３６から壁板１２側の横長の受け部材３４に掛り、また掛け止め部材３６と受け部材３４と長い係合面によって相互に接触抵抗を有するので、棚本体１６が受け部材３４から滑り落ちることはない。
【００４２】
　特に、注目すべきことは、棚本体１６の荷重は、横長の掛け止め部材３６と横長の受け部材３４との長い係合面で分散されるので、従来技術のように、１対の懸吊部材に局部的に加わることがなく、棚本体１６を安定して保持することができる。
【００４３】
　また、横長の受け部材３４と横長の掛け止め部材３６との位置合わせは、従来技術の１対の懸吊部材とそれにそれぞれ位置合わせして掛け止める場合に比べて容易であり、棚本体１６の取付け作業が容易となることが解る。
【００４４】
　棚本体１６の背板２２と壁板１２との間のスペーサ４２は、棚本体１６の棚板２０の前方の質量が棚本体１６を壁板１２に押し付けるように棚本体１６を付勢する機能を有し、従って棚本体１６は、壁板１２に安定して取り付けることができる。
【００４５】
　なお、図示の形態では、壁板１２側の１つの横長の受け部材３４と棚本体１６側の１つの横長の掛け止め部材３６とを有するが、両者の位置合わせに支障がない程度で壁板１２側に小さな間隔をあけて設けられた２つ又はそれ以上の横長の受け部材と同様にして小さな間隔をあけて設けられた２つ又はそれ以上の横長の掛け止め部材とを有していてもよい。
【００４６】
　本考案の更に他の実施の形態が図１０乃至図１２に示されており、この実施の形態では、懸吊手段３２は、先の実施の形態の受け部材３４を変形した受け部材１３４から成り、この受け部材１３４は、金属製又はプラスチック製の断面略「レ」字状の帯板状部材の形態を有する(図１３参照）。更に詳細に述べると、受け部材１３４は、壁板１２に横方向に間隔をあけて複数の差込型取付け具１３８によって固定された垂直板部１３４Ｖとこの垂直板部１３４Ｖに一体に設けられ上面に壁板から離れるにつれて上向きに傾斜する受け止め面１３４ａを有する傾斜板部１３４Ｉとを有する帯状部材から成っている。
【００４７】
　この受け部材１３４は、垂直板部１３４Ｖを複数の差込型取付け具１３８によって石膏ボードである壁板１２に固定して取付けられる。この取付け具１３８は、半球状の取付け具本体１３８Ｂとその孔にそれぞれ差し込み式に貫通する複数のピン(又は釘)１３８Ｐとカバー１３８Ｃとから成っている。これらの取付け具１３８は、図１２に示すように、受け部材１３４の垂直板部１３４Ｖを壁板１２にあてがった状態で取付け具本体１３８Ｂの垂直背面を垂直板部１３４Ｖに係合し、ピン１３８Ｐをハンマー等で受け部材１３４の垂直板部１３４Ｖを貫通して壁板１２に打ち込んで受け部材１３４を壁板１２に固定する(図１１及び図１２参照）。取付け具本体１３４Ｂの球面部は、カバー１３８Ｃによって隠蔽するが、このカバー１３８Ｃは、ピン１３８Ｐの抜け止め作用を有する。従って、地震等によってピン１３８Ｐが抜けることがない。
【００４８】
　図１０から解るように、取付け具１３８は、受け部材１３４の長手方向に適宜の間隔をあけて設けられる。この種の取付け具１３８は、例えば１個あたり７ｋｇの懸吊力を有すると仮定すると、図１０に示すように、５個の取付け具１３８を使用すると、全体で３５ｋｇの懸吊力を有し、重量のある神棚に好適に使用することができる。また、神棚の重量は、各取付け具に分散されるので、取付の安定性が向上する。
【００４９】
　なお、図１０、図１１及び図１３に示すように、この受け部材１３４の傾斜板部１３４Ｉに掛け止め部材３６の掛け止め面３６ａを掛け止めする際に、取付け具１３８が掛け止め部材３６に干渉することがないように、掛け止め部材３６は、この取付け具１３８が入り込むを縦溝３６ｂを有する。
【００５０】
　本考案の更に他の実施の形態が図１４及び図１５に示されており、この実施の形態では、神棚本体１６の背板２２は、棚板２０の後面に一致するように取付けられ、ストッパ４２は、この背板２２に蝶番４４によって折畳み自在に取付けられたストッパ支持部材４６とこの支持部材４２に差し込んで支持されたストッパ部材４８とから成っている。
【実施例１】
【００５１】
　図１乃至図７の形態の一例としての神殿搭載型神棚は、次のような寸法を有して製造された。
　（１）棚本体１６の棚板２０の幅６０ｃｍ、奥行き２８ｃｍ、厚み２．４ｃｍ
　（２）棚本体１６の背板２２の幅６０ｃｍ、高さ４３．９ｃｍ、厚み２ｃｍ
　（３）棚本体１６側の掛け止め部材３６の厚み１．５ｃｍ、背板側の高さ４ｃｍ、
　　　　壁板側の高さ６ｃｍ
　（４）壁板１２側の受け部材３４の厚み１．５ｃｍ、背板側の高さ６ｃｍ、
　　　　壁板側の高さ４ｃｍ
　（５）神殿を搭載した棚本体１６の重量　７ｋｇ
【実施例２】
【００５２】
　図９の形態の一例としての神棚は、次のような寸法を有して製造された。
　（１）棚本体１６の棚板２０の幅２５ｃｍ、奥行き２０．８ｃｍ、厚み２．４ｃｍ
　（２）棚本体１６の背板２２の幅２５ｃｍ、高さ４０．４ｃｍ、厚み１．６ｃｍ
　（３）棚本体１６側の掛け止め部材３６の厚み１．２ｃｍ、背板側の高さ３ｃｍ、
　　　　壁板側の高さ５ｃｍ
　（４）壁板１２側の受け部材３４の厚み１．２ｃｍ、背板側の高さ５ｃｍ、
　　　　壁板側の高さ４ｃｍ
　（５）神具を載置した棚本体１６の重量　２ｋｇ
【産業上の利用可能性】
【００５３】
　本考案の神棚は、鴨居がなくても、簡単な作業で壁板に直接取付けることができ、神棚の普及を増進するのに役立つ。
【図面の簡単な説明】
【００５４】
【図１】本考案の１つの形態による神棚の側面図である。
【図２】図１の神棚を壁板に取付ける前の状態を示す説明図である。
【図３】図１の神棚の正面図である。
【図４】図１の神棚の背面図である。
【図５】図１の神棚の上面図である。
【図６】図１の神棚の斜視図である。
【図７】神棚を懸吊すべき受け部材の取付け状態の説明図である。
【図８】本考案に用いられる懸吊手段の腰部の拡大斜視図である。
【図９】本考案の他の実施の形態による神棚の斜視図である。
【図１０】本考案の更に他の実施の形態による神棚の懸吊手段の組み立て前の状態を示す斜視図である
【図１１】図１０の懸吊手段の組み立て前の状態の側面図である
【図１２】図１０及び図１１の懸吊手段に用いられる取付け具を示し、同図（Ａ）はその取付け前の斜視図、同図（Ｂ）はその取付け後の斜視図である。
【図１３】図１０及び図１１の神棚に用いられる掛け止め部材を示し、同図（Ａ）は、その側面図、同図（Ｂ）はその斜視図である。
【符号の説明】
【００５５】
　１０　神棚
　１２　壁板
　１４　桟
　１６　棚本体
　２０　棚板
　２０ａ　突き出し部
　２２　背板
　２４　飾側板
　２６　雲板
　２８　前柱
　３０　連結桿
　３２　懸吊手段
　３４　受け部材
　３４ａ　受け止め面
　３６　掛け止め部材
　３６ａ　掛け止め面
　４０　ねじ
　４２　ストッパ
　５０　神札
　５２　御神酒壷
　５４　榊立て
　５６　洗米皿
【図１】
0003099642.tif 000003
【図２】
0003099642.tif 000004
【図３】
0003099642.tif 000005
【図４】
0003099642.tif 000006
【図５】
0003099642.tif 000007
【図６】
0003099642.tif 000008
【図７】
0003099642.tif 000009
【図８】
0003099642.tif 000010
【図９】
0003099642.tif 000011
【図１０】
0003099642.tif 000012
【図１１】
0003099642.tif 000013
【図１２】
0003099642.tif 000014
【図１３】
0003099642.tif 000015